(57)【特許請求の範囲】
【請求項１】
センタサーバを備えた集中局が、無線回線制御局及び基地局を介して、複数の携帯端末装置と無線回線で接続され、前記集中局、前記無線回線制御局及び前記基地局によって、前記携帯端末装置の動作が制御される携帯端末装置サービスシステムであって、
前記携帯端末装置に入力され登録される登録情報がバックアップ処理される格納手段と、
予め設定した更新時点毎に、前記携帯端末装置から前記登録情報を読み取り、読み取った登録情報によって、前記格納手段に格納されている登録情報をアップデートするアップデート手段と、
前記携帯端末装置の所有者からの転送要求指令により、前記格納手段に格納されている前記所有者の携帯端末装置の登録情報を、前記転送要求指令に係る携帯端末装置に転送する登録情報転送手段と
が前記センタサーバに設けられ、
前記アップデート手段は、前記読み取った登録情報の内、前記所有者の携帯端末装置の登録情報における前記所有者の回線関連情報が変更されている場合は、前記所有者の回線関連情報を登録情報の一部として登録している他の携帯端末装置の前記格納手段に格納されている登録情報の内の、前記所有者の回線関連情報においても、前記変更された回線関連情報によってアップデートすることを特徴とする携帯端末装置サービスシステム。
【請求項２】
請求項１記載の携帯端末装置サービスシステムに対して、
前記携帯端末装置の所有者からの消滅要求指令により、該消滅要求指令に係る携帯端末装置の登録情報を消滅させる登録情報消滅手段が、前記センタサーバにさらに設けられていることを特徴とする携帯端末装置サービスシステム。
【請求項３】
前記登録情報には、前記携帯端末装置の作動に必要な動作必須データが含まれていることを特徴とする請求項２記載の携帯端末装置サービスシステム。
【請求項４】
前記登録情報が、暗号化された登録情報であることを特徴とする請求項１ないし請求項３の何れかに記載の携帯端末装置サービスシステム。
【発明の詳細な説明】
【０００１】
【発明の属する技術分野】
本発明は、携帯電話機などの携帯端末装置の登録情報のバックアップ機能を備え、携帯端末装置の動作を制御する携帯端末装置サービスシステムに関する。
【０００２】
【従来の技術】
携帯電話機などの携帯端末装置は、所有者が携帯して移動先で使用され、屋外に設置された基地局と無線回線で接続された状態で、基地局、無線回線制御局、及び集中局の制御によって、所有者の移動先から局線に接続された電話機や、基地局と無線回線で接続される移動端末装置の相手端末との間での送受信動作が行われる。
【０００３】
また、この種の携帯端末装置には、特定の登録情報を登録格納することができる登録情報メモリが設けられ、この登録メモリに、携帯端末装置の所有者の取引先の名称、住所、電話番号、個人の銀行口座番号、個人のスケジュールなどの登録情報を予め格納しておき、必要に応じてディスプレイに表示させて利用することが行われている。
【０００４】
【発明が解決しようとする課題】
この種の携帯端末装置を所有者が使用の過程で、出先場所に置き忘れたり、紛失したりした場合には、手元にコピーを作成しておかない限り、取引先の名称、住所、電話番号、個人の銀行口座番号、個人のスケジュールなどの登録情報は、所有者の手元からなくなり、再生するまでに時間がかかり大変不便である。さらに、置き忘れられたり、道端に落ちていた携帯端末装置が、第３者に不正に取得され利用されると、登録情報が読み出されてプライバシーが侵害されると共に、これらの登録情報の悪用によって、携帯端末装置の所有者が多大の損害を受けることもあり、通信事業者が通報に基づいて、該携帯端末装置を使用不能とするまでの間に、不正使用した該携帯端末装置の使用料金は所有者が負担しなくてはならない。
【０００５】
本発明は、前述したようなこの種の携帯端末装置の利用の現状に鑑みてなされたものであり、その目的は、紛失した携帯端末装置の登録情報に基づいて、該携帯端末装置の所有者が受ける不利益を防止可能な携帯端末装置サービスシステムを提供することにある。
【０００６】
【課題を解決するための手段】
前記目的を達成するために、請求項１記載の発明は、センタサーバを備えた集中局が、無線回線制御局及び基地局を介して、複数の携帯端末装置と無線回線で接続され、前記集中局、前記無線回線制御局及び前記基地局によって、前記携帯端末装置の動作が制御される携帯端末装置サービスシステムであって、前記携帯端末装置に入力され登録される登録情報がバックアップ処理される格納手段と、予め設定した更新時点毎に、前記携帯端末装置から前記登録情報を読み取り、読み取った登録情報によって、前記格納手段に格納されている登録情報をアップデートするアップデート手段と、前記携帯端末装置の所有者からの転送要求指令により、前記格納手段に格納されている前記所有者の携帯端末装置の登録情報を、前記転送要求指令に係る携帯端末装置に転送する登録情報転送手段とが前記センタサーバに設けられ、前記アップデート手段は、前記読み取った登録情報の内、前記所有者の携帯端末装置の登録情報における前記所有者の回線関連情報が変更されている場合は、前記所有者の回線関連情報を登録情報の一部として登録している他の携帯端末装置の前記格納手段に格納されている登録情報の内の、前記所有者の回線関連情報においても、前記変更された回線関連情報によってアップデートすることを特徴とするものである。
【０００７】
このような手段によると、予め設定した更新時点毎に、アップデート手段によって、携帯端末装置の登録情報が、携帯端末装置から読み取られ、読み取られた登録情報によって、格納手段にバックアップ処理されて格納されている対応する登録情報がアップデートされ、携帯端末装置の所有者からの転送要求指令により、登録情報転送手段によって、格納手段に格納されている所有者の携帯端末装置の登録情報が、転送要求指令に係る携帯端末装置に転送され、携帯端末装置の登録情報を誤って消滅させた場合には、該携帯端末装置の所有者の転送要求指令に基づき、集中局のセンタサーバからアップデートされた最新の登録情報が携帯端末装置に転送され、転送された登録情報が簡単且つ適確に再登録される。
【０００８】
同様に前記目的を達成するために、請求項２記載の発明は、請求項１記載の発明に対して、前記携帯端末装置の所有者からの消滅要求指令により、該消滅要求指令に係る携帯端末装置の登録情報を消滅させる登録情報消滅手段が、前記センタサーバにさらに設けられていることを特徴とするものである。
【０００９】
このような手段によると、請求項１記載の発明での作用に加えて、センタサーバに設けられている登録情報消滅手段によって、携帯端末装置の所有者からの消滅要求指令に基づいて、該消滅要求指令に係る携帯端末装置の登録情報が消滅されるので、携帯端末装置を紛失した場合に、該携帯端末装置に記録されている登録情報が消滅され、登録情報が読み出されて悪用されることが防止される。
【００１０】
同様に前記目的を達成するために、請求項３記載の発明は、請求項２記載の発明において、前記登録情報には、前記携帯端末装置の作動に必要な動作必須データが含まれていることを特徴とするものである。
【００１１】
このような手段によると、請求項２記載の発明での作用に加えて、登録情報には、携帯端末装置の作動に必要な動作必須データが含まれているので、携帯端末装置を紛失した場合に、該携帯端末装置に登録されている登録情報を消滅させることにより、紛失した携帯端末装置が携帯端末装置の所有者の料金負担により、他人に無断使用されることが防止される。
【００１２】
同様に前記目的を達成するために、請求項４記載の発明は、請求項１ないし請求項３の何れかに記載の発明において、前記登録情報が、暗号化された登録情報であることを特徴とするものである。
【００１３】
このような手段によると、携帯端末装置を使用する送受信の過程で、クラッカーによるハッキング行為によって、登録情報のデータが盗まれ不正使用されることが完全に防止される。
【００１４】
【発明の実施の形態】
以下に本発明の一実施の形態を、携帯端末装置として携帯電話機を使用する場合について、図１ないし図３を参照して説明する。
図１は本実施の形態の全体構成を示すブロック図、図２は本実施の形態の登録情報のアップデート動作を示す説明図、図３は本実施の形態の登録情報の消滅動作及び登録情報の転送登録動作を示す説明図である。
【００１５】
本実施の形態では、センタサーバ２を備えた集中局１が設けられ、この集中局１には、複数の端局３ａ〜３ｎが接続され、端局３ａには複数の加入者の電話機Ｔａａ〜Ｔａｎが接続され、図示せぬ端局３ｂ以下の端局にも同様に、それぞれ複数の加入者の電話機が接続され、端局３ｎには、複数の加入者の電話機Ｔｎａ〜Ｔｎｎが接続されている。一方、集中局１には、複数の無線回線制御局５ａ〜５ｋが接続され、無線回線制御局５ａには複数の基地局５ａａ〜５ａｍが接続され、図示せぬ無線回線制御局５ｂ以下の無線回線制御局にも同様に、それぞれ複数の基地局が接続され、無線回線制御局５ｋには複数の基地局５ｋａ〜５ｋｍが接続されている。
【００１６】
また、基地局５ａａは、そのサービスエリア内に存在する携帯電話機７ａａ〜７ａｎと無線接続自在であり、同様に、図示せぬ基地局５ａｂは、そのサービスエリア内に存在する図示せぬ携帯電話機７ａｂａ〜７ａｂｎと無線接続自在であり、基地局６ａｍは、そのサービスエリア内に存在する携帯電話機７ａｍａ〜７ａｍｎと無線接続自在に構成されている。同様にして、図示せぬ無線回線制御局５ｂの複数の基地局は、それぞれ、そのサービスエリア内に存在する複数の携帯電話機と無線接続自在であり、基地局５ｋａは、そのサービスエリア内に存在する携帯電話機７ｋａ〜７ｋｎと無線接続自在で、以下同様にして、基地局５ｋｍは、そのサービスエリア内に存在する携帯電話機７ｋｍａ〜７ｋｍｎと無線接続自在に構成されている。
【００１７】
本実施の形態においては、センタサーバ２には、携帯電話機７ａａ〜７ｋｍｎにそれぞれ入力され登録される登録情報を、携帯電話機７ａａ〜７ｋｍｎに対応付けてバックアップ処理するバックアップメモリが設けられている。
この場合、本実施の形態においては、携帯電話機７ａａ〜７ｋｍｎに登録され、センタサーバ２によりバックアップ処理される登録情報としては、各携帯電話機の所有者の取引先の名称、住所、電話番号、電子メール情報、個人の銀行口座番号、個人のスケジュールなど、所有者が逐次入力登録して使用する個人データの他に、事前に携帯電話機７ａａ〜７ｋｍｎに登録される暗証番号、ＩＤコードなどの携帯電話機７ａａ〜７ｋｍｎの作動に必要な動作必須データが含まれている。
【００１８】
また、センタサーバ２には、予め設定した更新時点（例えば、毎月２７日）毎に、携帯電話機７ａａ〜７ｋｍｎから最新の登録情報を読取り、読み取った最新の登録情報によって、センタサーバ２のメモリに格納されている対応する従来の登録情報をアップデート処理するアップデート手段が設けられている。同様に、センタサーバ２には、携帯電話機の所有者からの消滅要求指令によって、該消滅要求指令に係る携帯電話機の登録情報を消滅する登録情報消滅手段、及び携帯電話機の所有者からの転送要求指令により、センタサーバ２のメモリに格納されている対応する登録情報を、転送要求指令に係る携帯電話機に転送する登録情報転送手段が設けられている。
【００１９】
このような構成の本実施の形態の動作を説明する。
例えば、携帯電話機７ａａの所有者が、端局３ａに接続されている公衆回線の電話機Ｔａａとの間で通話を行おうとすると、携帯電話機７ａａの所有者は、携帯電話機７ａａを操作して、電話機Ｔａａを呼び出す発呼処理を行い、この発呼処理により送信される発呼信号は、無線回線制御局５ａの制御によって、携帯電話機７ａａの現在位置を管理エリアとする基地局５ａａで受信され、受信された発呼信号は、無線回線制御局５ａを介して集中局１に送信される。
そして、集中局１において、受信される発呼信号が解析され、この解析によって、受信した発呼信号が、端局３ａに接続される公衆回線の電話機Ｔａａに対する発呼信号であると判定されると、集中局１の制御によって、発呼信号は端局３ａを介して、端局３ａに接続されている発呼先の電話機Ｔａａに送信され、電話機Ｔａａに着信音を発生させる。
この着信音に応答して発呼先の電話機Ｔａａがオフフックされると、発呼元の携帯電話機７ａａの所有者と発呼先の電話機Ｔａａの利用者との間での通話が行われる。
【００２０】
同様にして、端局３ａ〜３ｎの何れかの公衆回線の電話機Ｔａａ〜Ｔｎｎの利用者から、携帯電話機７ａａ〜７ｋｍｎの何れかを呼び出す場合には、以上に説明した処理が逆方向に行われ、集中局１の指令によって、無線回線制御局５ａ〜５ｋが駆動制御され、呼び出された携帯電話機の現在位置を管理エリアとする基地局が検出され、検出された基地局から発呼先の携帯電話機に発呼信号が送信され、発呼元の電話機の利用者と発呼先の携帯電話機の所有者との間での通話が行われる。
【００２１】
また、例えば、携帯電話機７ａｍａの所有者が、携帯電話機７ｋｍｎとの間で通話を行おうとすると、携帯電話機７ａｍａの所有者は、携帯電話機７ａｍａを操作して、携帯電話機７ｋｍｎを呼び出す発呼処理を行い、この発呼処理により送信される発呼信号は、無線回線制御局５ａの制御によって、携帯電話機７ａｍａの現在位置を管理エリアとする基地局５ａｍで受信され、受信された発呼信号は、無線回線制御局５ａを介して集中局１に送信される。
そして、集中局１において、受信される発呼信号が解析され、この解析によって、受信した発呼信号が、携帯電話機７ｋｍｎに対する発呼信号であると判定されると、集中局１の制御によって、無線回線制御局５ｋが、携帯電話機７ｋｍｎの現在位置を管理エリアとする基地局が基地局５ｋｍであることを検出し、発呼信号は、無線回線制御局５ｋを介して基地局５ｋｍから、発呼先の携帯電話機７ｋｍｎに送信され、携帯電話機７ｋｍｎに着信音を発生させる。
この着信音に応答して発呼先の携帯電話機７ｋｍｎがオフフックされると、発呼元の携帯電話機７ａｍａの所有者と、発呼先の携帯電話機７ｋｍｎの所有者との間での通話が行われる。
【００２２】
このようにして、携帯電話機７ａａ〜７ｋｍｎの所有者は、自己が所有する携帯電話機７ａａ〜７ｋｍｎを使用して、他の携帯電話機や局線に接続された電話機との間で通話を行うが、本実施の形態では、携帯電話機に設けられた登録情報メモリには、携帯電話機の作動に必要な暗証番号、ＩＤコードなどの動作必須データが予め登録格納されており、さらに、携帯電話機の所有者は、この登録情報メモリに、取引先の名称、住所、電話番号、電子メール、個人の銀行口座番号、個人のスケジュールなどの個人データを逐次入力登録し、必要に応じてディスプレイに表示させることにより、携帯電話機を電子手帳的にも使用している。
【００２３】
本実施の形態においては、携帯電話機７ａａ〜７ｋｍｎの登録情報メモリに格納されている登録情報は、センタサーバ２のバックアップメモリにも格納されバックアップ処理されているが、最初に、センタサーバ２に設けられるアップデート手段により行われるセンタサーバ２のバックアップメモリの登録情報に対するアップデート処理と、同様にセンタサーバ２に設けられる登録情報転送手段による登録情報の転送処理とについて説明する。
【００２４】
本実施の形態では、センタサーバ２に設けられているアップデート手段によって、予め設定した更新時点毎に、携帯電話機７ａａ〜７ｋｍｎから登録情報がそれぞれ読み取られ、読み取られた登録情報で、センタサーバ２のバックアップメモリにバックアップ処理されている各携帯電話機７ａａ〜７ｋｍｎに対応する登録情報がアップデートされる。また、携帯電話機７ａａ〜７ｋｍｎの所有者からの転送要求指令によって、センタサーバ２のバックアップメモリに格納されている該所有者の携帯電話機の登録情報が、登録情報転送手段によって、転送要求指令に係る携帯電話機に転送される。
【００２５】
先ず、アップデート処理について説明すると、本実施の形態では、毎月２７日が予め更新時点に設定されていて、毎月２７日になると、集中局１から各無線回線制御局５ａ〜５ｋに更新指令信号が入力され、この更新指令信号によって、無線回線制御局５ａからは、管理対象の基地局５ａａ〜５ａｍに登録情報読取指令信号が出力され、同様にして、無線回線制御局５ｂ以下の無線回線制御局からも、管理対象の基地局に登録情報読取指令信号が出力され、無線回線制御局５ｋからは、管理対象の基地局５ｋａ〜５ｋｍに登録情報読取指令信号が出力される。
【００２６】
この場合、基地局５ａａでは、無線回線制御局５ａからの登録情報読取指令信号に基づいて、現在管理エリア内に存在する携帯電話機７ａａ〜７ａｎに読取信号を送信し、この読取信号に基づいて、携帯電話機７ａａ〜７ａｎの登録情報メモリから登録情報が読み取られ、読み取られた登録情報信号が、携帯電話機７ａａ〜７ａｎから基地局５ａａに送信され、基地局５ａａによって、携帯電話機７ａａ〜７ａｎからそれぞれ送信される登録情報信号が受信される。
図示せぬ基地局５ａｂも、無線回線制御局５ａからの登録情報読取指令信号に基づいて同様に動作し、以下同様にして、基地局５ａｍでは、無線回線制御局５ａからの登録情報読取指令信号に基づいて、現在管理エリア内に存在する携帯電話機７ａｍａ〜７ａｍｎに読取信号を送信し、この読取信号に基づいて、携帯電話機７ａｍａ〜７ａｍｎの登録情報メモリから登録情報が読み取られ、基地局５ａｍによって、携帯電話機７ａｍａ〜７ａｍｎからそれぞれ送信される登録情報信号が受信される。
【００２７】
また、図示せぬ無線回線制御局５ｂに接続されている基地局でも同様な動作が行われ、以下同様にして、基地局５ｋａでは、無線回線制御局５ｋからの登録情報読取指令信号に基づいて、現在管理エリア内に存在する携帯電話機７ｋａ〜７ｋｎに読取信号を送信し、この読取信号に基づいて、携帯電話機７ｋａ〜７ｋｎの登録情報メモリから登録情報が読み取られ、読み取られた登録情報が、携帯電話機７ｋａ〜７ｋｎから基地局５ｋａに送信され、基地局５ｋａによって、携帯電話機７ｋａ〜７ｋｎからそれぞれ送信される登録情報信号が受信される。
図示せぬ基地局５ｋｂも、無線回線制御局５ｋからの登録情報読取指令信号に基づいて同様に動作し、以下同様にして、基地局５ｋｍでは、無線回線制御局５ｋからの登録情報読取指令信号に基づいて、現在管理エリア内に存在する携帯電話機７ｋｍａ〜７ｋｍｎに読取信号を送信し、この読取信号に基づいて、携帯電話機７ｋｍａ〜７ｋｍｎの登録メモリから登録情報が読み取られ、読み取られた登録情報が、携帯電話機７ｋｍａ〜７ｋｍｎから基地局５ｋｍに送信され、基地局５ｋｍによって、携帯電話機７ｋｍａ〜７ｋｍｎからそれぞれ送信される登録情報信号が受信される。
【００２８】
このようにして、基地局５ａａ〜５ａｍで受信した携帯電話機７ａａ〜７ａｍｎの登録情報信号は、無線回線制御局５ａを介して集中局１に転送され、以下同様にして、基地局５ｋａ〜５ｋｍで受信した携帯電話機７ｋａ〜７ｋｍｎの登録情報信号は、無線回線制御局５ｋを介して集中局１に転送される。
そして、集中局１の制御によって、転送された全携帯電話機７ａａ〜７ｋｍｎの登録情報によって、センタサーバ２のバックアップメモリに格納されている各携帯電話機の登録情報がそれぞれアップデート処理される。
【００２９】
本実施の形態において、図２に示すように、例えば、田中太郎が所有者である携帯電話機７ａｍａに登録されている登録情報の内で、電話番号情報と電子メール情報からなる回線関連情報１４が変更され、３月１５日に変更された回線関連情報１４Ａが、携帯電話機７ａｍａに入力登録されているものとする。
この場合３月２７日の更新登録時点に行われるアップデート処理によって、センタサーバ２のバックアップメモリには、田中太郎が所有する携帯電話機７ａｍａに対応して、回線関連情報を変更後の回線関連情報１４Ａとする登録情報がアップデート処理されてバックアップ登録される。
また、同図に示すように、田中太郎の回線関連情報１４を登録情報２０の一部として登録している増淵順子が所有の携帯電話機７ｋｎに対して、３月２７日に行われる登録情報のバックアップ処理に際しては、センタサーバ２のバックアップメモリの登録情報２０の一部である回線関連情報１４は、変更後の回線関連情報１４Ａと照合変更され、変更された登録情報２０Ａが新たな登録情報として、センタサーバ２のバックアップメモリに登録される。
【００３０】
ところで、本実施の形態では、携帯電話機の所有者からの転送要求指令によって、センタサーバ２のバックアップメモリの登録情報を、転送要求指令に係る携帯電話機に転送することができる。
このために、更新登録時点後の例えば４月１日に、増淵順子が携帯電話機７ｋｎを操作して、登録情報の転送要求指令を入力すると、転送要求信号が、基地局５ｋａ、無線回線制御局５ｋを介して集中局１に送信され、この転送要求信号を受信した集中局１の指令によって、センタサーバ２のバックアップメモリから、携帯電話機７ｋｎに対応する登録情報２０Ａが読み出され、対応する登録情報信号が、集中局１から無線回線制御局５ｋ、基地局５ｋａを介して、図２に示すように、携帯電話機７ｋｎに送信され、登録操作によって携帯電話機７ｋｎの現在の登録情報２０が登録情報２０Ａによって更新登録される。
【００３１】
ここで、本実施の形態において、センタサーバ２の登録情報消滅手段による携帯電話機の登録情報の消滅処理について説明する。
【００３２】
例えば、田中太郎が、所持使用していた携帯電話機７ａｍａを出先で紛失した場合には、田中太郎は近くの電話機、例えば電話機Ｔｎｎを使用して、携帯電話機７ａｍａの登録情報の消滅要求指令を入力すると、対応する消滅要求指令信号が集中局１に入力され、暗証番号やＩＤを確認した集中局１の指令によって、センタサーバ２の登録情報消滅手段が作動し、図３に示すように、暗証番号やＩＤの照合で確認される田中太郎の所有に係る携帯電話機７ａｍａの登録情報の消滅指令信号Ｆ１が出力される。
同時に、集中局１の制御によって、携帯電話機７ａｍａの現在位置を管理エリアとする基地局５ａｍが検出され、無線回線制御局５ａから出力される消滅信号Ｆ１１が、基地局５ａｍから携帯電話機７ａｍａに送信される。そして、この消滅信号Ｆ１１によって、携帯電話機７ａｍａに登録情報として登録されている携帯電話機７ａｍａの作動に必要な暗証番号、ＩＤコードなどの動作データと、取引先の名称、住所、電話番号、電子メール、個人の銀行口座番号、個人のスケジュールなどの個人データとが、携帯電話機７ａｍａの登録情報メモリから消滅処理される。
【００３３】
この場合も、図３に示すように、田中太郎による転送要求指令の入力によって、センタサーバ２のバックアップメモリから、紛失した携帯電話機７ａｍａに登録されていた登録情報を、登録情報転送手段によって、無線回線制御局５及び基地局６を介して転送処理し、田中太郎が新に使用する携帯電話機８に登録情報として登録することができる。
【００３４】
このように、本実施の携帯によると、携帯電話機７ａａ〜７ｋｍｎの登録情報メモリに登録情報として格納される暗証番号、ＩＤコードなどの動作データと、取引先の名称、住所、電話番号、電子メール、個人の銀行口座番号、個人のスケジュールなどの個人データとは、毎月２７日の更新登録時点毎に、アップデート手段によって、登録情報メモリから読み出され、基地局５ａａ〜５ｋｍ、無線回線制御局５ａ〜５ｋを介して、集中局１のセンタサーバ２に送信され、バックアップメモリに各携帯電話機に対応して登録されている登録情報が、アップデート手段の読み出した登録情報によってアップデートされるので、センタサーバ２のバックアップメモリには、常に最新の登録情報がバックアップ格納され、携帯電話機７ａａ〜７ｋｍｎの誤操作や異常動作による登録情報メモリのデータの消失に、迅速適確に対処することが可能になる。
【００３５】
また、携帯電話機７ａａ〜７ｋｍｎの紛失時に、紛失した携帯電話機の所有者からの消滅要求指令によって、センタサーバ２の登録情報消滅手段から消滅指令信号Ｆ１が発せられ、集中局１、無線回線制御局５ａ〜５ｋ、基地局５ａａ〜５ｋｍを介して、消滅要求指令に係る携帯電話機の登録メモリに登録格納されている暗証番号、ＩＤコードなどの動作データと、取引先の名称、住所、電話番号、電子メール、個人の銀行口座番号、個人のスケジュールなどの個人データとが、消滅処理されるので、紛失に係る携帯電話機の使用による送受信動作が不能になって、所有者の使用料金負担による不正使用が防止可能になり、所有者の個人データが流出して悪用されることも防止可能になる。
【００３６】
なお、以上に説明した実施の形態においては、携帯端末装置が携帯電話機である場合について説明したが、本発明は、この実施の形態に限定されるものではなく、携帯端末装置としては、携帯電話機の他に、ＰＨＳ（Ｐｅｒｓｏｎａｌ  Ｈａｎｄｙ−ｐｈｏｎｅ  Ｓｙｓｔｅｍ）に使用する簡易型携帯電話機、各種のＰＤＡ（ＰｅｒｓｏｎａｌＤｉｇｉｔａｌＡｓｓｉｓｔａｎｔ；携帯情報端末）、携帯型パソコンなどを使用することが可能である。
また、実施の形態においては、平文の登録情報を使用した場合を説明したが、本発明は、この実施の形態に限定されるものではなく、登録情報を暗号化することにより、携帯端末装置を使用する送受信の過程で、クラッカーによるハッキング行為によって、登録情報のデータが盗まれ不正使用されることを完全に防止することも可能である。
【００３７】
【発明の効果】
請求項１記載の発明によると、センタサーバを備えた集中局が、無線回線制御局及び基地局を介して、複数の携帯端末装置と無線回線で接続され、集中局、無線回線制御局及び基地局によって、携帯端末装置の動作が制御されるが、センタサーバには、携帯端末装置に入力され登録される登録情報がバックアップ処理される格納手段、アップデート手段及び登録情報転送手段が設けられており、予め設定した更新時点毎に、アップデート手段によって、携帯端末装置の登録情報が、携帯端末装置から読み取られ、読み取られた登録情報によって、格納手段にバックアップ処理されている対応する登録情報がアップデートされ、携帯端末装置の所有者からの転送要求指令により、登録情報転送手段によって、格納手段に格納されている所有者の携帯端末装置の登録情報が、転送要求指令に係る携帯端末装置に転送され、アップデート手段によって、読み取った登録情報の内、所有者の携帯端末装置の登録情報における所有者の回線関連情報が変更されている場合は、所有者の回線関連情報を登録情報の一部として登録している他の携帯端末装置の格納手段に格納されている登録情報の内の、所有者の回線関連情報においても、変更された回線関連情報によってアップデートされる。
このようにして、携帯端末装置の登録情報が、センタサーバの格納手段に、更新時点毎にアップデートされてバックアップ処理され、必要に応じて格納手段の登録情報は登録情報転送手段によって、携帯端末装置に転送されるので、携帯端末装置の登録情報を誤って消滅させた場合でも、該携帯端末装置の所有者の転送要求指令に基づき、集中局のセンタサーバからアップデートされた最新の登録情報を携帯端末装置に転送して、転送された登録情報を簡単且つ適確に再登録することが可能になる。
【００３８】
請求項２記載の発明によると、請求項１記載の発明で得られる効果に加えて、センタサーバに設けられている登録情報消滅手段によって、携帯端末装置の所有者からの消滅要求指令に基づいて、該消滅要求指令に係る携帯端末装置の登録情報が消滅されるので、携帯端末装置を紛失した場合に、該携帯端末装置に記録されている登録情報を消滅させることにより、登録情報が読み出されて悪用されることを防止することが可能になる。
【００３９】
請求項３記載の発明によると、請求項２記載の発明で得られる効果に加えて、登録情報には、携帯端末装置の作動に必要な動作必須データが含まれているので、携帯端末装置を紛失した場合に、該携帯端末装置に登録されている登録情報を消滅させることにより、紛失した携帯端末装置が、携帯端末装置の所有者の料金負担によって、他人に無断使用されることが防止可能になる。
【００４０】
請求項４記載の発明によると、請求項１ないし請求項３の何れかに記載の発明で得られる効果に加えて、登録情報が、暗号化された登録情報であるので、携帯端末装置を使用する送受信の過程で、クラッカーによるハッキング行為によって、登録情報のデータが盗まれ不正使用されることを完全に防止することも可能になる。
【図面の簡単な説明】
【図１】本発明の一実施の形態の全体構成を示すブロック図である。
【図２】同実施の形態の登録情報のアップデート動作を示す説明図である。
【図３】同実施の形態の登録情報の消滅動作及び登録情報の転送登録動作を示す説明図である。
【符号の説明】
１・・集中局、２・・センタサーバ、３ａ〜３ｎ・・端局、５ａ〜５ｋ・・無線回線制御局、５ａａ〜５ａｍ・・基地局、５ｋａ〜５ｋｍ・・基地局、７ａａ〜７ａｎ・・携帯電話機、７ａｍａ〜７ａｍｎ・・携帯電話機、７ｋａ〜７ｋｎ・・携帯電話機、７ｋｍａ〜７ｋｍｎ・・携帯電話機。
【図１】
0004479058.tif 000002
【図２】
0004479058.tif 000003
【図３】
0004479058.tif 000004